(57)【要約】【課題】ブルドン管の固定端と管支持体の嵌入穴との溶接代を広くでき、固定端を堅牢に封着可能なブルドン管圧力計の提供。【解決手段】ヘリカルブルドン管１の固定端１ａが嵌入する固定端嵌入穴５ａを備えた管支持部５を有するブルドン管圧力計において、管支持部５は、固定端嵌入穴５ａの深さ方向に対して直交する方向で当該深さ途中位置において固定端嵌入穴５ａに達する溶接金属注入穴Ｈ１と、固定端嵌入穴５ａに固定端１ａを嵌入した状態で溶接金属注入穴Ｈ１内に注入して成る溶接金属部１０とを有する。【選択図】      図２
2007218758.tif 000002
【特許請求の範囲】
【請求項１】
ブルドン管の管端が嵌入する嵌入穴を備えた管端取着体を有するブルドン管圧力計において、
前記管端取着体は、前記嵌入穴の深さ方向に対して直交する方向で当該深さ途中位置において前記嵌入穴に達する溶接金属注入穴と、前記嵌入穴に前記ブルドン管の管端を嵌入した状態で前記溶接金属注入穴内に注入して成る溶接金属部とを有することを特徴とするブルドン管圧力計。
【請求項２】
請求項１に記載のブルドン管圧力計において、前記嵌入孔に嵌入したブルドン管の管端周面のうち少なくとも前記溶接金属注入穴に臨む部分が窪んでいることを特徴とするブルドン管圧力計。
【請求項３】
請求項１又は請求項２に記載のブルドン管圧力計において、前記管端は固定端であり、前記管端取着体は管支持体であることを特徴とするブルドン管圧力計。
【請求項４】
請求項１又は請求項２に記載のブルドン管圧力計において、前記管端は自由端であり、前記管端取着体は前記自由端を閉塞するキャップであることを特徴とするブルドン管圧力計。
【発明の詳細な説明】
【技術分野】
【０００１】
本発明は、ブルドン管圧力計に関し、特に、ブルドン管の固定端とこれを支持する管支持体との封着或いはブルドン管の自由端とこれを閉塞するキャップとの封着に関する。
【背景技術】
【０００２】
従来、ブルドン管圧力計において、例えば、ブルドン管の固定端を管支持体に封着する方法としては、管支持体の嵌入穴に固定端を差し込んだ後、嵌入穴の開口縁と固定端周面との間を半田付け等で溶接固着するのが一般的である。
【特許文献１】特開２０００−２８０６０４号公報（図３）
【発明の開示】
【発明が解決しようとする課題】
【０００３】
しかしながら、上記の封着方法にあっては、溶融半田等の溶接金属は嵌入孔と差し込まれた管端との隙間へ毛細管現象で滲入するものの、管端が嵌った奥の隙間空間までには溶接金属が浸透し難く、またそれを目視では判断できない。このように、溶接代（固着代）が嵌入穴の開口側だけに留まると、ブルドン管圧力計の実使用時における振動や過大圧力の発生時には管端が嵌入孔から外れるおそれもある。
【０００４】
そこで、上記問題点に鑑み、本発明の課題は、ブルドン管の管端と管端取着体（管支持体又はキャップ）の嵌入穴との溶接代を広くでき、管端を堅牢に封着可能なブルドン管圧力計を提供することにある。
【課題を解決するための手段】
【０００５】
本発明は、ブルドン管の管端が嵌入する嵌入穴を備えた支持体又はキャップである管端取着体を有するブルドン管圧力計において、管端取着体は、嵌入穴の深さ方向に対して直交する方向で当該深さ途中位置において嵌入穴に達する溶接金属注入穴と、嵌入穴にブルドン管の管端を嵌入した状態で溶接金属注入穴内に注入して成る溶接金属部とを有することを特徴とする。ここで、管端取着体とは、管端が固定端である場合は管支持体であり、管端が自由端である場合はこの自由端を閉塞するキャップである。
【０００６】
斯かる構成においては、嵌入穴にブルドン管の管端を嵌入した状態で半田付け等の溶接金属材を溶接金属注入穴内に注入すると、溶接金属材が嵌入穴とこれに嵌った管端周面との隙間へ回り込んで浸透すると共に、溶接金属注入穴内が溶接金属材で充填されて溶接金属部を構成する。溶接金属注入穴は嵌入穴の深さ途中位置で交差しているため、溶接金属材が嵌入穴の開口側と奥方向に滲入するので、溶接代が広くなり、強固な固定が可能となる。
【０００７】
嵌入孔に嵌入したブルドン管の管端周面のうち少なくとも溶接金属注入穴に臨む部分が窪んでいる場合は、その窪み内にも溶接金属材が充填されるため、溶接金属部が窪みで嵌合した状態となり、抜け止めキーとして作用しているので、管端の抜け耐力が大幅に向上する。この窪みは、管端を嵌入穴に差し込んだ後、溶接金属注入穴を介して工具先端で管端周面を突き凹ますことにより容易に形成することができる。
【発明を実施するための最良の形態】
【０００８】
次の本発明の実施例を添付図面に基づいて説明する。図１（Ａ）は本発明の実施例に係るブルドン管圧力計を指針等を取り外して示す正面図、図１（Ｂ）は同ブルドン管圧力計のゲージケースを取り外して示す右側面図である。
【０００９】
本例のブルドン管圧力計は、ヘリカルブルドン管１を収めた扁平円柱状のゲージケース２と、ヘリカルブルドン管１に連通する圧力導入路３を備えて圧力源側の螺子穴に螺合する雄ネジ部４を下部に持つ管支持部５とを有している。ヘリカルブルドン管１の自由端１ｂから指針軸（図示せず）に固定されたピニオン６までは変位拡大機構７となっている。
【００１０】
ヘリカルブルドン管１の固定端１ａは、管支持体５に形成されて圧力導入路３に連通する固定端嵌入穴５ａに嵌入している。一方、ヘリカルブルドン管１の自由端１ｂは、これを閉塞するキャップ８に形成された自由端嵌入穴８ａに嵌入している。
【００１１】
図２（Ａ）は図１（Ａ）のＡ部拡大図、図２（Ｂ）は図１（Ｂ）のＢ部拡大図である。管支持体５は、固定端嵌入穴５ａの深さ方向に対して直交する方向で当該深さ途中位置において固定端嵌入穴５ａに達する丸穴状の溶接金属注入穴Ｈ１を有している。図２（Ｂ）に示す如く、この固定端嵌入穴５ａに嵌入した固定端１ａの周面のうち溶接金属注入穴Ｈ１に臨む部分は凹曲面状の窪みＵ１となっている。そして、固定端嵌入穴５ａに固定端１ａを嵌入した状態において溶接金属注入穴Ｈ１内には、溶融半田等の溶接金属材Ｗが注入して溶接金属部１０が埋め込まれている。
【００１２】
図３（Ａ）は円形のヘリカルブルドン管の自由端を閉塞するキャップを示す正面図、図３（Ｂ）は図１（Ｂ）のＣ部拡大図である。キャップ８は、自由端嵌入穴８ａの深さ方向に対して直交する方向で当該深さ途中位置において自由端嵌入穴８ａに達する丸穴状の溶接金属注入穴Ｈ２を有している。図３（Ｂ）に示す如く、この自由端嵌入穴８ａに嵌入した自由端１ａの周面のうち溶接金属注入穴Ｈ２に臨む部分は凹曲面状の窪みＵ２となっている。そして、自由端嵌入穴８ａに自由端１ｂ嵌入した状態において溶接金属注入穴Ｈ２内には、溶融半田等の溶接金属材Ｗが注入して溶接金属部２０が埋め込まれている。
【００１３】
ブルドン管圧力計の製造において、固定端嵌入穴５ａにヘリカルブルドン管１の固定端１ａを嵌入した状態で半田付け等の溶接金属材Ｗを溶接金属注入穴Ｈ１内に注入すると、溶接金属材Ｗが固定端嵌入穴５ａとこれに嵌った固定端１ａの周面との隙間へ回り込んで浸透すると共に、溶接金属注入穴Ｈ１内が溶接金属材Ｗで充填されて溶接金属部１０を構成する。溶接金属注入穴Ｈ１は固定端嵌入穴５ａの深さ途中位置で交差しているため、溶接金属材Ｗが固定端嵌入穴５ａの開口側と奥方向に滲入するので、溶接代が広くなり、固定端１ａの強固な固着が可能となる。このため、強度の強い銀ロウを用いず、半田で済ませることができ、ブルドン管１への熱影響を少なくできる。
【００１４】
固定端１ａの周面のうち少なくとも溶接金属注入穴Ｈ１に臨む部分は窪みＵ１となっているため、窪みＵ１内にも溶接金属材Ｗが充填される。このため、溶接金属部１０が窪みＵ１で嵌合した状態となり、抜け止めキーとして作用しているので、固定端１ａの抜け耐力が大幅に向上する。この窪みＵ１は、固定端１ａを固定端嵌入穴５ａに差し込んだ後、溶接金属注入穴Ｈ１を介して工具先端で固定周面を突き凹ますことにより容易に形成することができる。
【００１５】
一方、キャップ８の自由端嵌入穴８ａにヘリカルブルドン管１の自由端１ｂを嵌入した状態で半田付け等の溶接金属材Ｗを溶接金属注入穴Ｈ２内に注入すると、溶接金属材Ｗが自由端嵌入穴８ａとこれに嵌った自由端１ｂの周面との隙間へ回り込んで浸透すると共に、溶接金属注入穴Ｈ２内が溶接金属材Ｗで充填されて溶接金属部２０を構成する。溶接金属注入穴Ｈ２は自由端嵌入穴８ａの深さ途中位置で交差しているため、溶接金属材Ｗが自由端嵌入穴８ａの開口側と奥方向に滲入するので、溶接代が広くなり、自由端１ｂの強固な固着が可能となる。このため、強度の強い銀ロウを用いず、半田で済ませることができ、ブルドン管１への熱影響を少なくできる。
【００１６】
固定端１ａの周面のうち少なくとも溶接金属注入穴Ｈ１に臨む部分は窪みＵ１となっているため、窪みＵ１内にも溶接金属材Ｗが充填される。このため、溶接金属部１０が窪みＵ１で嵌合した状態となり、抜け止めキーとして作用しているので、自由端１ｂの抜け耐力が大幅に向上する。この窪みＵ２は、自由端１ｂを自由端嵌入穴５ａに差し込んだ後、溶接金属注入穴Ｈ２を介して工具先端で固定周面を突き凹ますことにより容易に形成することができる。
【図面の簡単な説明】
【００１７】
【図１】（Ａ）は本発明の実施例に係るブルドン管圧力計を指針等を取り外して示す正面図、（Ｂ）は同ブルドン管圧力計のゲージケースを取り外して示す右側面図である。
【図２】（Ａ）は図１（Ａ）のＡ部拡大図、（Ｂ）は図１（Ｂ）のＢ部拡大図である。
【図３】（Ａ）はヘリカルブルドン管の自由端を閉塞するキャップを示す正面図、（Ｂ）は図１（Ｂ）のＣ部拡大図である。
【符号の説明】
【００１８】
１…ヘリカルブルドン管
１ａ…固定端
１ｂ…自由端
２…ゲージケース
３…圧力導入路
４…雄ネジ部
５…管支持部
５ａ…固定端嵌入穴
６…ピニオン
７…変位拡大機構
８…キャップ
８ａ…自由端嵌入穴
１０，２０…溶接金属部
Ｈ１，Ｈ２…溶接金属注入穴
Ｗ…溶接金属材
Ｕ１，Ｕ２…窪み
【図１】
2007218758.tif 000003
【図２】
2007218758.tif 000004
【図３】
2007218758.tif 000005